(57)【要約】【課題】移動体用ディジタル受信装置は、たとえば受信地域の遷移の際に、ユーザーの好みが反映された放送の自動的な切替が行えないという課題を有している。【解決手段】放送を受信する第１と第２の受信部１０３，１０５と、受信する前記放送をトランスポートストリームに復調するディジタル復調部１２７、１２８と、前記トランスポートストリームから分離出力信号を分離する分離部１０７と、前記分離出力信号の切替を行う予め指定される切替条件を記憶する記憶部１２５と、前記切替条件に基づき、前記分離出力信号を、前記分離部１０７で分離される第１の受信部１０３で受信する放送の出力信号である第１の出力信号から前記分離部１０７で分離される前記第１又は前記第２の受信部１０３，１０５で受信するユーザーにより予め指定される放送の出力信号である第２の出力信号へ切り替える切替部１０６を備える。【選択図】図１
2006080758.tif 000002
【特許請求の範囲】
【請求項１】
放送を受信する第１と第２の受信部と、受信する前記放送をトランスポートストリームに復調するディジタル復調部と、前記トランスポートストリームから分離出力信号を分離する分離部と、前記分離出力信号の切替を行う予め指定される切替条件を記憶する記憶部と、前記切替条件に基づき、前記分離出力信号を、前記分離部で分離される第１の受信部で受信する放送の出力信号である第１の出力信号から前記分離部で分離される前記第１又は前記第２の受信部で受信するユーザーにより予め指定される放送の出力信号である第２の出力信号へ切り替える切替部とを備えることを特徴とする移動体用ディジタル受信装置。
【請求項２】
放送を受信する第１と第２の受信部と、受信する前記放送をトランスポートストリームに復調するディジタル復調部と、前記トランスポートストリームから分離出力信号を分離する分離部と、前記分離出力信号の切替を行う予め指定される切替条件を記憶する記憶部と、前記切替条件に基づき、前記分離出力信号を、前記分離部で分離される第１の受信部で受信する放送の出力信号である第１の出力信号から前記分離部で分離される前記第２の受信部で受信するユーザーにより予め指定される放送の出力信号である第３の出力信号へ切り替える切替部とを備えることを特徴とする移動体用ディジタル受信装置。
【請求項３】
前記第１の受信部で受信する放送の受信レベルを検出する検出部と、前記検出部で検出される受信レベルが所定レベルを満たしているか否かを判断する判断部とを備え、前記切替条件が、前記第１の出力信号として出力される放送の受信レベルが前記所定レベルを満たしていないと前記判断部において判断される条件であって、前記切替条件が満たされるとき、前記切替部により前記分離出力信号を前記第１の出力信号から前記第２の出力信号へ切り替えることを特徴とする請求項１記載の移動体用ディジタル受信装置。
【請求項４】
前記第１の受信部で受信する放送の受信レベルを検出する検出部と、前記第１の受信部で受信する放送の中から前記分離部で前記第１の出力信号へ分離されるユーザーにより予め指定される放送を検索する検索部と、前記検出部で検出される受信レベルが所定レベルを満たしているか否かを判断する判断部とを備え、前記切替条件が、前記第１の出力信号として出力される放送の受信レベルが前記所定レベルを満たしていないと前記判断部において判断され、また前記第１の受信部で受信する放送の中で前記判断部により前記第１の受信部で受信する放送の受信レベルが前記所定レベルを満たしていると判断されるユーザーにより予め指定される放送が前記検索部により検索されないときという条件であって、前記切替条件が満たされるとき、前記切替部により前記分離出力信号を前記第１の出力信号から前記第３の出力信号へ切り替えることを特徴とする請求項２記載の移動体用ディジタル受信装置。
【請求項５】
位置を計測する位置計測部と、前記位置が前記第１の受信部で受信される放送を受信する第１の受信地域から前記第１の受信地域とは異なる第２の受信地域に移ったか否かを判断する位置判断部とを備え、前記切替条件が、前記位置が前記第１の受信地域から前記第２の受信地域に移っていると前記位置判断部において判断されるときという条件であって、前記切替条件が満たされるとき、前記切替部により前記出力信号を前記第１の出力信号から前記第２の出力信号へ切り替えることを特徴とする請求項１記載の移動体用ディジタル受信装置。
【請求項６】
位置を計測する位置計測部と、前記第１の受信部で受信する放送の中から前記分離部で前記第１の出力信号へ分離されるユーザーにより予め指定される放送を検索する検索部と、前記第１の受信部で受信する放送の受信レベルを検出する検出部と、前記検出部で検出される前記受信レベルが所定レベルを満たしているか否かを判断する判断部とを備え、前記位置が前記第１の受信部で受信される放送を受信する第１の受信地域から前記第１の受信地域とは異なる第２の受信地域に移ったか否かを判断する位置判断部とを備え、前記切替条件が、前記位置が前記第１の受信地域から前記第２の受信地域に移っていると前記位置判断部において判断され、また前記第１の受信部で受信する放送の中で前記判断部により前記第１の受信部で受信する放送の受信レベルが前記所定レベルを満たしていると判断されるユーザーにより予め指定される放送が前記検索部により検索されないときという条件であって、前記切替条件が満たされるとき、前記切替部により前記分離出力信号を前記第１の出力信号から前記第３の出力信号へ切り替えることを特徴とする請求項２記載の移動体用ディジタル受信装置。
【請求項７】
前記分離部で分離される第１の受信部で受信する放送の前記第１の出力信号を復号する第１の映像音声復号部と、前記分離部で分離される第２の受信部で受信する放送の前記第３の出力信号を復号する第２の映像音声復号部とを備え、前記切替条件を基に前記分離出力信号を映像と音声との少なくともどちらか一方として出力する復号部を前記切替部が前記第１の映像音声復号部から前記第２の映像音声復号部へ切り替えることを特徴とする請求項２又は請求項４又は請求項６記載の移動体用ディジタル受信装置。
【請求項８】
放送を受信する第１と第２の受信部と、前記第１の受信部で受信する放送をトランスポートストリームに復調するディジタル復調部と、前記第２の受信部で受信する放送を音声信号に復調する復調部と、前記トランスポートストリームから出力信号を分離する分離部と、前記出力信号と前記音声信号との切替を行い切替出力信号を出力する予め指定される切替条件を記憶する記憶部と、前記切替条件に基づき、前記切替出力信号を、前記分離部で分離される第１の受信部で受信する放送の出力信号である第１の出力信号から前記復調部で復調される第２の受信部で受信するユーザーにより予め指定される放送の音声信号である第３の出力信号へ切り替える切替部とを備えることを特徴とする移動体用ディジタル受信装置。
【発明の詳細な説明】
【技術分野】
【０００１】
本発明は、放送を受信する移動体用ディジタル放送受信装置に関するものである。
【背景技術】
【０００２】
現在、携帯電話や車載用のテレビ等の移動体用ディジタル放送受信装置によってディジタルテレビ放送を受信できる技術が開発されている。
【０００３】
ディジタルテレビ放送を受信できる移動体用ディジタル放送受信装置において、ユーザーの移動に伴う移動体用ディジタル放送受信装置の移動により放送の受信状態が悪化するという移動体用ディジタル放送受信装置特有の問題が起こる。
【０００４】
上記問題の解決策として、２チューナーを備え、Ａ地域からＢ地域に向かってユーザーが移動することで受信地域が遷移し受信状態が悪化するときに、他のチューナーで受信する放送の受信レベルを観測し、この受信レベルに基づいて他のチューナーで受信する放送に切り替える受信装置が提案されている（特許文献１）。
【０００５】
また、上記問題の解決策として、２チューナーを備え、Ａ地域からＢ地域に向かってユーザーが移動することで受信地域が遷移し受信状態が悪化するときに、視聴に供していないチューナーで検索された現在選択し得る放送が、例えば、ａ放送（Ａ地域）、ａ放送（Ｂ地域）のようにディスプレイに一覧表示され、ユーザーが手動によりＡ地域でのａ放送と同一のＢ地域のａ放送を選択することができる受信装置が提案されている（特許文献２）。
【特許文献１】特開２００１−１６９１９５号公報
【特許文献２】特開２００４−６４５９０号公報
【発明の開示】
【発明が解決しようとする課題】
【０００６】
特許文献１記載の発明では上記のような受信地域の遷移に伴う放送の切替は、受信レベルのみに基づいて行われていたため、ユーザーが望まない他の放送に自動的に切り替り、ユーザーの好みが反映される柔軟なチャネル切替がなされていなかった。
【０００７】
そこで、特許文献２記載の発明では、特許文献１記載の発明の問題点を解決するために上記のような受信地域の遷移に伴うチャネル切替を行うときは、ユーザーの手動により切替を行うことで、ユーザーの好みが反映されたチャネル切替を行っていた。
【０００８】
しかし、特許文献２記載の発明では、手動切替のため素早い放送の切り替えが行えず、ユーザーにとっては煩わしいものであった。
【０００９】
そこで、本発明は、上記課題を解決するためのものであり、例えば受信地域が遷移するとき、予め切り替わる放送を指定することにより、ユーザーの好みが反映された放送への自動切替を行うことができる。
【００１０】
さらに、本発明は、予めユーザーの好みの放送を指定することで、切替のために検索部により検索される放送が絞られるので検索時間が短縮され、放送の自動切替を素早く行うことができるという特有の効果を有する。
【課題を解決するための手段】
【００１１】
本発明は上記課題を解決するものであって、放送を受信する第１と第２の受信部と、受信する前記放送をトランスポートストリームに変換する変換部と、前記トランスポートストリームから分離出力信号を分離する分離部と、前記分離出力信号の切替を行う予め指定される切替条件を記憶する記憶部と、前記切替条件に基づき、前記分離出力信号を、前記分離部で分離される第１の受信部で受信する放送の出力信号である第１の出力信号から前記分離部で分離される前記第１又は前記第２の受信部で受信するユーザーにより予め指定される放送の出力信号である第２の出力信号へ切り替える切替部とを備えることを特徴とする移動体用ディジタル受信装置である。
【００１２】
これにより、ユーザーの好みが反映された放送の素早い自動切替を行うことができる。
【発明の効果】
【００１３】
本発明の移動体用ディジタル放送受信装置により、検索対象放送の検索時間が短縮され、放送の自動切替を素早く行うことができる。
【発明を実施するための最良の形態】
【００１４】
本願発明の移動体用ディジタル放送受信装置は、放送を受信する第１と第２の受信部と、受信する前記放送をトランスポートストリームに変換する変換部と、前記トランスポートストリームから分離出力信号を分離する分離部と、前記分離出力信号の切替を行う予め指定される切替条件を記憶する記憶部と、前記切替条件に基づき、前記分離出力信号を、前記分離部で分離される第１の受信部で受信する放送の出力信号である第１の出力信号から前記分離部で分離される前記第１又は前記第２の受信部で受信するユーザーにより予め指定される放送の出力信号である第２の出力信号へ切り替える切替部とを備える。
【００１５】
以上の構成により、検索対象放送の検索時間が短縮され放送の自動切替を素早く行うことができる。
【００１６】
また、放送を受信する第１と第２の受信部と、前記第１の受信部で受信する放送をトランスポートストリームに復調するディジタル復調部と、前記第２の受信部で受信する放送を音声信号に復調する復調部と、前記トランスポートストリームから出力信号を分離する分離部と、前記出力信号と前記音声信号との切替を行い切替出力信号を出力する予め指定される切替条件を記憶する記憶部と、前記切替条件に基づき、前記切替出力信号を、前記分離部で分離される第１の受信部で受信する放送の出力信号である第１の出力信号から前記復調部で復調される第２の受信部で受信するユーザーにより予め指定される放送の音声信号である第３の出力信号へ切り替える切替部とを備える。
【００１７】
以上の構成により、音声のみの放送に切り替える場合にも、検索対象放送の検索時間が短縮され放送の自動切替を素早く行うことができる。
【００１８】
また、前記第２の受信部で受信する放送がラジオ放送であり、前記第１の出力信号を復号する映像音声復号部と、前記第３の出力信号を復号する音声復号部とを備え、前記分離出力信号を映像と音声との少なくともどちらか一方として出力する復号部を前記切替部が前記映像音声復号部から前記音声復号部へ切り替える。
【００１９】
以上の構成により、例えば受信地域が遷移しても、音声放送を提供することができる。
【００２０】
また、前記第１の受信部で受信する放送は固定用放送であり、前記第２の受信部で受信する放送は移動体用放送又は地上ディジタル音声放送であり、又は、前記第１の受信部で受信する放送は移動体用放送であり、前記第２の受信部で受信する放送は固定用放送又は地上ディジタル音声放送であり、又は、前記第１の受信部で受信する放送は地上ディジタル音声放送であり、前記第２の受信部で受信する放送は固定用放送又は移動体用放送であり、いずれの放送を受信しているかを提示する手段を有し、前記分離出力信号の切替とともに、前記提示手段における提示を切り替える。
【００２１】
以上の構成により、例えば、固定用放送から移動体用放送へ、放送が自動的に切り替わったときにも現在映像と音声として出力されている放送をユーザーに容易に知らせることができ、利便性の高い移動体用ディジタル放送受信装置を提供できる。本願発明の移動体用ディジタル放送受信装置について、以下に実施例を記載する。
【００２２】
本願発明は、受信地域が遷移し切替条件又は検索条件を満たすとき、あらかじめ記憶されている放送受信条件を満たす放送を受信する移動体用ディジタル放送受信装置である。第１の実施例に記載する移動体用ディジタル放送受信装置については、２つの受信部を備え、一方の受信部で固定用放送を受信し、他方の受信部で移動体用放送を受信する。
【００２３】
そして、切替条件を満たしたときに、固定用放送から移動体用放送に切り替えることで、あらかじめ記憶しておいた放送受信条件を満たす移動体用放送に切り替えることができる。
【００２４】
第２の実施例に記載する移動体用ディジタル放送受信装置については、２つの受信部を備え、一方の受信部で固定用放送を受信し、他方の受信部でラジオ放送を受信する。
【００２５】
そして、切替条件を満たしたときに、固定用放送からラジオ放送に切り替えることで、あらかじめ記憶しておいた放送受信条件を満たすラジオ放送に切り替える。
【００２６】
これにより固定用放送に放送受信条件を満たす放送が無い場合にも、音声として放送受信条件を満たす放送に切り替えることができる。
【００２７】
以上の第１の実施例から第２の実施例についてそれぞれ詳述してゆく。
【００２８】
（実施の形態１）
ここでは、まず、第１の実施例について詳述する。
【００２９】
本実施例においては、映像と音声として出力する放送の切替を行う条件である切替条件を基に複数の受信部で受信する放送の切替を行うことで、あらかじめ指定された放送を映像と音声として出力できる移動体用ディジタル放送受信装置について、図１から図５までを用いて説明する。特に本実施例では、２つの受信部を用い、第１の受信部で固定用放送を、第２の受信部で移動体用放送を受信する場合について説明する。まず、固定用放送と移動体用放送と、さらに地上ディジタル音声放送に関して説明する。
【００３０】
ここで上記固定用放送とは、主に据え置き型の受信機で受信される放送であり、上記移動体用放送とは、主に携帯・移動体で受信される放送である。日本の地上ディジタル放送のチャネル帯域幅は６ＭＨｚであり、地上ディジタル放送では６ＭＨｚを１４分割し、その中の１３個（約５．６ＭＨｚ幅）を使用して放送する。１３個のチャネルブロックのひとつひとつ（約４２９ｋＨｚ幅）をセグメントと呼び１４分割された残りの１セグメント分の周波数は、隣のチャネルとの混信を避けるためのすき間として使われる。
【００３１】
地上波ディジタル放送は、１つのチャネルの中で固定用放送向けのサービスと移動体用放送向けのサービスとが可能になるようにセグメント毎に搬送波の変調方式や誤り訂正の強さを変えられるようになっている。したがって、全てのセグメントを情報レートが大きい方式で変調し固定用放送向けにハイビジョンを放送したり１２個のセグメントでハイビジョンを放送し残りの１セグメントを電波の変動に強い方式で変調し移動体用放送向けのサービスに使用するなど様々なサービスを組み合わせることができる。
【００３２】
固定用放送では、１２個のセグメントを用い、全てのセグメントを情報レートが大きい方式で変調し画質が良いハイビジョン放送を行うことができるが、地上ディジタル放送では、情報レートが大きいほど反射波などによる伝送誤りに対して弱くなるため、移動受信が難しい。移動体用放送では、１セグメントを用い、情報レートが小さい方式で変調するため電波の変動に強い放送を行うことができ移動受信は容易であるが、１セグメントで放送を行っているため、放送として用いる情報量は少なくなり画像は、固定用放送に比べ劣る。また、地上ディジタル音声放送は地上ディジタル放送の方式に準拠しており、ＶＨＦの７チャンネルを８つのセグメントに分割して放送が行われている。
【００３３】
地上ディジタル音声放送は、ＣＤ並みの高品質音声に加えて、データ放送や静止画・簡易動画等により生活情報や交通情報・ニュースなどの多様なサービスを行うことができる。地上ディジタル音声放送は、基本的に移動体用放送と同様に１セグメントを用い、電波の変動に強い放送を行うことができる。このため、固定用放送の放送と、移動体用放送又は地上ディジタル音声放送（以下、移動体用放送等）とにおいて、同一の放送が存在する場合、受信地域が頻繁に変わる可能性がある移動体用ディジタル放送受信装置では、固定用放送よりも移動体用放送等の方が受信しやすい。
【００３４】
しかし、固定用放送と移動体用放送等とでは、上記の様に放送に用いているセグメント数が違うため、画質に差が出る。そのため、受信地域が頻繁に変わる可能性がある移動体用ディジタル放送受信装置において、移動により受信することが困難になる場合があっても、画質にこだわるユーザーにとっては、固定用放送が適し、画質が劣ってでも同じ放送を受信したいユーザーにとっては、移動体用放送が適する。
【００３５】
本実施例の移動体ディジタル放送受信装置では、この固定用放送と移動体用放送との放送の違いを利用することによって、例えば、受信レベルを受信地域の遷移の判断基準とした場合、受信地域が遷移し、切替条件を満たすとき、放送受信条件に合わせてＴＳ分離部と復号部とを切り替えることで放送受信条件を満たす放送を映像と音声として出力することができる。よって、良好な放送が移動体用放送にあり、画質が劣る好みの放送が固定用放送にある場合でも固定用放送の好みの放送を視聴したり、良好な放送が固定用放送の中にあり、画質が劣る好みの放送が移動体用放送にある場合にも、移動体用放送の好みの放送を視聴することができ、ユーザーの好みが反映した放送の切替が行われる。
【００３６】
本実施例では、以上のようなサービスの違いによる画質や受信容易度、伝送方式の違いによる画質や受信容易度を利用することにより、よりユーザーの好みの反映する切替を行うことができる。
【００３７】
図１は本実施例に係る移動体用ディジタル放送受信装置１００の構成図である。移動体用ディジタル放送受信装置１００としては、車載用受信装置、ＰＤＡ、携帯電話等のディジタルテレビ放送を受信することができ受信地域が遷移する可能性のある受信装置が考えられる。
【００３８】
他の実施例を含め本実施例で用いている「受信地域」とは、例えば、現実の大阪、京都といった県域等の区切りではなく、ある放送を受信できる地域の区切りのことである。例えば、大阪と京都と神戸とにおいて、ａ放送が同じ基地局から放送されている場合、大阪と京都と神戸とは県域は違うけれども、受信地域は同じとなる。また、本願では、上記のように「受信地域」を定義するが、必ずしもこれに限ることはない。例えば、県域と同じ領域を受信地域とすることもできる。
【００３９】
以下、移動体用ディジタル放送受信装置１００について説明していく。
【００４０】
チューナー部１０１は第１のチューナー部１０２と第２のチューナー部１０４とを有しており、第１のチューナー部１０２は第１の受信部である固定用放送受信部１０３（以下、固定受信部１０３とする）を、第２のチューナー部１０４は第２の受信部である移動体用放送受信部１０５（以下移動体用放送受信部１０５とする）を内部に有している。
【００４１】
固定用受信部１０３は、固定用放送のＲＦ信号を受信し、移動体用受信部１０５は、移動タ体用放送のＲＦ信号を受信する。
【００４２】
本実施例では、第１のチューナー部１０２が有する受信部を固定用放送受信部１０３、第２のチューナー部１０４が有する受信部を移動体用放送受信部１０５としているが、第１のチューナー部１０２と第２のチューナー部１０４とが有する受信部をそれぞれ固定用放送受信部（図示なし）と地上ディジタル音声放送受信部（図示なし）という組み合わせにしても良いし、移動体用放送受信部（図示なし）と地上ディジタル音声放送受信部（図示なし）という組み合わせにしてもよい。
【００４３】
第１のチューナー部１０２と第２のチューナー部１０４とは、固定用放送受信部１０３と移動体用放送受信部１０５とで受信されるＲＦ信号の変動に対して利得調整を行うことにより安定したレベルの信号を固定用受信部１０３で受信した放送をディジタル復調部１２７へ、移動体用放送受信部１０５で受信した放送をディジタル復調部１２８へ出力する。
【００４４】
ディジタル復調部１２７、１２８は第１のチューナー部１０２と第２のチューナー部１０４とでディジタル変調されたアナログ信号からトランスポートストリーム（以下、ＴＳ）形式のディジタルデータを切替部１０６へ出力する。切替部１０６は、切替条件に応じて、音声と映像として出力される放送を切り替える。この切替により、放送を受信する固定用放送受信部１０３と移動体用放送受信部１０５、ＴＳ分離部１０７、復号部１１０も切り替わる。
【００４５】
固定用放送受信部１０３と移動体用放送受信部１０５のうち切替部１０６で選択されている受信部から出力されたＴＳがＴＳ分離部１０７により映像データ、音声データ、その他の情報データ（例えばＥＰＧ：Ｅｌｅｃｔｒｏｎｉｃ  Ｐｒｏｇｒａｍ  Ｇｕｉｄｅ）に分離される。
【００４６】
ＴＳ分離部１０７は、固定用放送ＴＳ分離部１０８と移動体用放送ＴＳ分離部１０９とを有し、例えば切替部１０６で選択されているＴＳが固定用放送である場合、固定用放送ＴＳ分離部１０８によって固定用放送のＴＳは分離される。
【００４７】
復号部１１０は、固定用放送復号部１１１と移動体用放送復号部１１５とを有し、固定用放送復号部１１１は、固定用放送映像復号部１１２、固定用放送音声復号部１１３、情報復号部１１４とからなる。移動体用放送復号部１１５は、移動体用映像復号部１１６と移動体用音声復号部１１７と情報復号部１１８とからなる。
【００４８】
受信する放送が固定用放送の場合、映像データは、固定用放送映像復号部１１２に入力され映像信号として、音声データは、固定用放送音声復号部１１３に入力され音声信号として出力される。情報データは、情報復号部１１４に入力され情報信号として記憶部１２５に記憶される。
【００４９】
受信する放送が移動体用放送の場合、映像データは、移動体用放送映像復号部１１６に入力され映像信号として、音声データは、移動体用放送音声復号部１１７に入力され音声信号として出力される。情報データは、情報復号部１１８に入力され情報信号として記憶部１２５に記憶される。
【００５０】
検出部１２０は、固定用放送受信部１０３と移動体用放送受信部１０５とで受信された放送の受信レベルを検出する。判断部１１９は、検出部１２０で検出された受信レベルのうち、現在映像と音声として出力している放送の受信レベルが所定レベルを満たしているかどうかを判断する。
【００５１】
ユーザーの現在地は、位置計測部１２６により計測される。位置計測部は、例えばＧＰＳ（Ｇｌｏｂａｌ  Ｐｏｓｉｔｉｏｎｉｎｇ  Ｓｙｓｔｅｍ）等の位置計測機器が考えられる。切替条件により切り替えられる放送は、ユーザーによって入力部１２３から入力される放送受信条件を満たす放送であり、放送受信条件は、記憶部１２５に記憶される。
【００５２】
放送受信条件とは、受信地域が遷移したとき映像と音声として、どのような放送を出力するかという条件であり、あらかじめ記憶部１２５に記憶されている。例えば、切替部１０６による切替が行われるときに、映像と音声として出力される放送が切替前と同一放送であることを望む場合、放送受信条件は、同一放送となる。
【００５３】
ここで、他の実施例を含む本願で述べている同一放送とは、例として、中継局又は系列局での放送と定義している。
【００５４】
たとえば、Ａ地域でａ放送のＡ地域の天気予報を視聴している場合、Ｂ地域におけるａ放送の中継局又は系列局でのＢ地域の天気予報を、Ａ地域におけるａ放送の天気予報と同一放送とする。つまり、Ｂ地域におけるＡ地域のａ放送と同じジャンルの放送を同一放送とする。上記中継局とは、ａ放送と全く同じ放送を行う放送局のことであり、系列局とは、ａ放送とは時間帯により一部違う番組を行う放送局のことである。
【００５５】
なお、本願では、「同一放送」を上記のように定義したが、必ずしもこれに限ることもない。例えば、全く同一の内容の放送をもって同一放送とすることもできる。
【００５６】
放送受信条件を同一放送とすることで、Ｂ地域の移動体用ａ放送が画質の悪い放送である場合も、放送受信条件に従い、画質の悪いＢ地域でのａ放送に切り替えることができる。
【００５７】
なお、放送受信条件は、あらかじめ、ユーザーが直接入力せず、ＴＳ、電話回線、通信回線、記録媒体等により受信装置に取り込まれることもできる。ここで切替条件とは、切替により他の受信部で受信する放送に切替を行うための条件である。
【００５８】
このほか記憶部１２５には、例えば図１２（ａ）、（ｂ）に示すような各地域毎に受信できる放送のチャネルの地域受信チャネルテーブル、図１２（ｃ）に示すＥＰＧ等を構成する番組情報を基にした番組表（以下、ＥＰＧ等の番組表）、位置計測部１２６により計測される受信装置の現在の位置情報等が記憶されている。
【００５９】
図１２は、地域毎のチャネルテーブルの例であり、本実施例では、例えば、図１２（ａ）を固定用放送の地域毎のチャネルのテーブル、図１２（ｂ）を移動体用放送の地域毎のチャネルのテーブルとするが、図１２（ａ）、（ｂ）のように分けず、１つのテーブルで示すこともできる。
【００６０】
検索部１２２は、位置計測部１２６で計測した現在の位置を含む地域を基に、例えば、記憶部１２５に記憶された地域受信チャネルテーブルの中から放送受信条件を満たす放送を検索する。制御部１２１は、チューナー部１０１、切替部１０６、検出部１２０、ＴＳ分離部１０７、復号部１１０、記憶部１２５、判断部１１９、検索部１２２等に命令を出し、各部にそれぞれの動作を行わせ、受信装置全体の制御を行う。
【００６１】
次に本実施例の移動体用ディジタル放送受信装置の動作について図２から図５を用いて説明する。図２から図５までは本実施例の移動体用ディジタル放送受信装置のテレビ受信モードの処理を表すフロー図である。以下、本実施例の動作について図２を用いて説明する。
【００６２】
以下、本実施例の移動体用ディジタル放送受信装置が、携帯電話等の携帯受信装置である場合を想定する。ユーザーは、放送受信条件をスポーツ放送として入力し、午後１９時にＡ地域で図１５（ａ）に示すような固定用放送の３ｃｈのａ放送の野球を選局する場合について説明してゆく。ユーザーは、携帯受信装置でディジタル放送を受信する場合、テレビ受信モードのボタンを押し、テレビ受信を開始する。
【００６３】
この場合、テレビ受信モードのボタンでなくても、携帯受信装置のテンキー等のテレビ受信を開始するための開始ボタンであれば何でもよい。ステップ２００では、テレビ受信モードになり放送受信条件の入力が促される。ステップ２０１では、ユーザーは、放送受信条件を入力したい場合、入力部１２３により放送受信条件を入力する（Ｓ２００でＹＥＳの場合）。ユーザーは、放送受信条件としてスポーツ放送を入力する。ステップ２０２では、ステップ２０１で入力部１２３によりユーザーが放送受信条件を入力した場合又は、以前入力している場合等で入力する必要がない場合（Ｓ２００でＮＯの場合）、テレビを視聴するか否かが促される。
【００６４】
ステップ２０３では、視聴をしたい場合、ユーザーは携帯受信装置のテンキー等を用いて番組の選局を行う（Ｓ２０２でＹＥＳの場合）。番組を視聴しない場合には、そのままテレビ受信モードを終了する（Ｓ２０２でＮＯの場合）。また、ステップ２０３の番組選局を行っているときに、例えば、ユーザーが、携帯受信装置の視聴終了ボタンを押したならばテレビ受信モードは終了する。他のボタンを押したならば、ステップ２０２に移る。
【００６５】
さらに、ユーザーにより押されたボタンが選局ボタンであれば、その選局された番組が視聴され、他の選局ボタンが押されていない場合は、同じ番組を視聴しつづける（Ｓ２０２でＹＥＳの場合）。
【００６６】
以下、ステップ２０３の番組選局について図３を用いて説明してゆく。Ａ地域にいるユーザーが携帯受信装置のテンキー等により固定用放送３ｃｈを選局し、図１５（ａ）に示すような固定用放送ａ放送の野球を視聴する。ステップ３００では、検出部１２０で受信している放送の受信レベルを観測し判断部１１９で所定レベルを満たしているかどうかを判断する。ここで所定レベルとは放送受信に対して規格で定められている値が考えられるが必ずしもこの値にする必要はない。
【００６７】
本実施例では、受信レベルが所定レベルを満たしていないことをもって、受信地域がＡ地域から移った可能性があると判断する。また、受信地域の遷移だけではなく、受信地域内にいるにもかかわらず、例えば、高層ビル等の受信状態を悪化させる要因により、受信状態が悪くなることも考えられる。そのため、受信地域の遷移ではなく、受信レベルの悪化を観測し、受信レベルが所定レベルを満たしていないことをもって、切替条件を満たすことも考えることができる。
【００６８】
また、受信地域と県域とが同一である場合、位置計測部１２６により計測された位置によって受信地域が移ったかどうかを判断することもできる。
【００６９】
また、位置計測部１２６によって計測された位置を基に、受信地域と県域を対応させたテーブル（図示なし）より受信地域がＡ地域から移ったと判断されることもできる。たとえば、位置計測部１２６の位置により大阪から兵庫にユーザーの現在地が移動したことは分かるが、位置計測部１２６による位置計測だけでは、受信地域がＡ地域であるのかどうか分からない。
【００７０】
そこで、位置計測部１２６の位置に加え、受信地域と県域とのテーブル（図示なし）を参照することにより、例えば、受信地域Ａ地域は、大阪と京都という２つの県域から成り、受信地域Ｂは兵庫から成り立っていることを知ることができる。これにより、大阪から兵庫に移動すると、受信地域がＡ地域からＢ地域に遷移したと判断される。
【００７１】
受信レベルが判断部１１９によって所定レベルを満たしていると判断された場合、検出部１２０において受信レベルを観測し続ける（Ｓ３００でのＮＯの場合）。
【００７２】
ここで、受信レベルは、常に観測しつづけなくても、断続的にある一定間隔で観測することもできる。
【００７３】
受信レベルが判断部１１９によって所定レベルを満たしていないと判断された場合、位置計測部１２６で計測した現在の位置がＢ地域であり放送受信条件がスポーツ放送であるため、検索部１２２は、図１２（ａ）に示す固定用放送の地域受信チャネルテーブルと図１２（ｃ）に示すＥＰＧ等の番組表の中から、放送受信条件を満たすスポーツの放送を検索する（Ｓ３００でＹＥＳの場合）。
【００７４】
ステップ３０１でのチャネル検索について、図４を用いて説明してゆく。ステップ４００では、制御部１２１は、図１２（ｃ）に示す記憶部１２５に記憶されたＥＰＧ等の番組表から、午後１９時にスポーツ番組があるかどうか検索する。ステップ４００で図１２（ｃ）のＥＰＧ等の番組表から午後１９時にスポーツ放送があった場合（Ｓ４００でＹＥＳの場合）、ステップ４０１では、そのスポーツ放送がＢ地域に存在するかどうかを検索部１２２が記憶部１２５に記憶された地域受信チャネルテーブルに基づき検索する。
【００７５】
今、検索する放送は固定用放送であるため図１２（ａ）の固定用放送の地域受信チャネルテーブルを検索する。放送受信条件を満たす固定用放送のスポーツチャネル（以下、スポーツチャネル）が、図１２（ａ）の固定用放送の地域受信チャネルテーブルにある場合、制御部１２１は、スポーツチャネルを固定用放送受信部１０３に設定し、判断部１１９は、検出部１２０により得られるスポーツチャネルの受信レベルが所定レベルを満たしているかどうかを判断する。判断部１１９でスポーツチャネルが所定レベルを満たしていると判断されたときチャネル検索を終了する（Ｓ４０１でＹＥＳの場合）。
【００７６】
ステップ４００でスポーツ放送が無い場合（Ｓ４００でＮＯの場合）、又は、ステップ４０１でスポーツ放送がＢ地域に無い場合（Ｓ４０１でＮＯの場合）、図３に示すステップ３０４の動作が行われる。また、検索部１２０の検索によって、Ｂ地域で２以上のスポーツ放送があった場合、ステップ４００で、始めに検索された放送を選ぶことができる。また、検索部１２０の検索によって、Ｂ地域において野球とサッカーがあった場合、ユーザーが更に、受信地域が遷移する前の放送と同じジャンルの放送（本実施例の場合、野球）と放送受信条件を設定することで野球を選ぶこともできる。
【００７７】
図１２（ｃ）を固定用放送のＥＰＧ等の番組表だとすると、Ｂ地域では午後１９時に９ｃｈのｂ放送のサッカーがあるため、この放送の受信レベルが所定レベルを満たしていれば、制御部１２１は、スポーツチャネルがＢ地域に存在すると判断する。チャネル検索の結果、放送受信条件を満たすスポーツ放送のチャネルがある場合（Ｓ３０１で該当チャネルがある場合）、制御部１２１は、スポーツチャネルの放送を受信できるように固定用放送受信部１０３を設定する（Ｓ３０２）。
【００７８】
第１のチューナー部１０２から出力されたＴＳは、固定用放送ＴＳ分離部１０８により映像データ、音声データ、その他の情報データに分離される。上記固定用放送ＴＳ分離部１０８において、情報データは、映像データと音声データと共に分離したが、本実施例の放送の切替が、どのチャネルでどんなジャンルの放送が行われているかという最新放送情報に基づいて行われることを考えると、映像データ等よりも先に情報データを分離することもできる。その後、映像データと音声データとは、それぞれ固定用放送復号部１１１の固定用放送映像復号部１１２と固定用放送音声復号部１１３とにより復号され映像信号と音声信号として出力される（Ｓ３０３）。
【００７９】
これにより、図１５（ｂ）に示すようにＢ地域で放送受信条件を満たす固定用放送ｂ放送のサッカーを受信することができる。しかし、上記Ｂ地域で固定用放送の中に放送受信条件のスポーツ放送を満たす放送がない場合には、ユーザーが望むスポーツ放送を受信することができない。そのため、以下に示すステップ３０４の動作により、固定放送の中に放送受信条件を満たすスポーツ放送が無い場合、受信が容易な移動体用放送に切り替えることにより移動体用放送の中にスポーツ放送があるか否かを検索し、映像と音声として出力する。
【００８０】
以下、ステップ３０１で固定用放送の中に放送受信条件を満たすスポーツ放送が無い場合について説明してゆく。
【００８１】
ステップ３０４では、ステップ３０１におけるチャネル検索の結果、放送受信条件を満たす放送のチャネルがない場合（Ｓ３０１で該当チャネルがない場合）、切替部１０６は、受信部を固定用放送受信部１０３から移動体用放送受信部１０５に切り替え、ステップ３０４での境界選局を行う。
【００８２】
切替部１０６により切替が行われた場合、切り替えられた受信部に合わせて、ＴＳ分離部１０７と復号部１１０も切り替えられる。この場合、ＴＳ分離部１０７は、固定用放送ＴＳ分離部１０８から移動体用放送分離部１０９へ、復号部１１０は、固定用放送復号部１１１から移動体用放送復号部１１５へと切り替えられる。
【００８３】
以下図５を用いてステップ３０４の境界選局について説明してゆく。
【００８４】
ステップ５００のチャネル検索の詳細は上述の図４におけるチャネル検索と同様であるためここでは省略する。ステップ５００では、図１２（ｃ）を移動体用放送のＥＰＧ等の番組表だとすると、Ｂ地域では午後１９時に４１ｃｈのｂ放送のサッカーがあるため、この放送の受信レベルが所定レベルを満たしていれば、制御部１２１は、スポーツチャネルがＢ地域に存在すると判断する。
【００８５】
ステップ５０１では、放送受信条件を満たす移動体用放送のスポーツチャネル（以下、スポーツチャネル）が無い場合（Ｓ５００で該当チャネルが無い場合）、手動選局を行う。
【００８６】
この手動選局において、たとえば今、移動体用放送受信部１０５で受信できる放送の一覧をディスプレイに表示し、ユーザーに選ばせる方法でもできる。また他の方法で受信できる放送を選ばせても良い。
【００８７】
なお、本実施例では、上記のステップ５０１の手動選択に移った場合、移動体用放送の中で現在受信できる放送を選択させるが、固定用放送に切り替えてユーザーに固定用放送を手動選択させることもできる。
【００８８】
以下の本実施例の手動選択する場合についても同様の手動選択を行うことができる。
【００８９】
ステップ５０２では、ステップ５０１で手動選局した場合又は、チャネル検索でスポーツチャネルがある場合（Ｓ５００で該当チャネルがある場合）、制御部１２１は、ｂ放送のサッカーを受信できるように移動体用放送受信部１０５を設定する。
【００９０】
ステップ５０３では、第２のチューナー部１０４から出力されたＴＳは、移動体用放送ＴＳ分離部１０９により映像データ、音声データ、その他の情報データに分離される。その後、映像データと音声データとは、それぞれ移動体用放送復号部１１５の移動体用映像復号部１１６と移動体用音声復号部１１７とにより復号され映像信号と音声信号として出力される。
【００９１】
固定用放送と移動体用放送では、受信の容易さが異なるため受信地域が移った場合に、固定用放送では受信地域が遷移する前の地域で受信している放送を受信できないときにも、移動体用放送の中で放送受信条件を満たすスポーツ放送を受信することができる。
【００９２】
また、切り替わった移動体用放送受信部１０５では、切替部１０６により切り替えが行われる前は、どのような放送を受信していても良いが、検索部をもう一つ備え、切替前に放送受信条件を満たす放送を検索することで移動体用放送受信部１０５で放送受信条件を満たす放送を受信することもできる。
【００９３】
また、検索部１２２が同時に固定用放送受信部１０３と移動体用放送受信部１０５とで受信できる放送を検索できる場合、検索部をもう一つ備える必要はない。
【００９４】
これにより切替の迅速化を図ることができる。
【００９５】
あらかじめ、移動体用放送受信部１０５でスポーツ放送を検索しているため、放送受信条件を満たす放送への切替は速くなる。
【００９６】
以上のように一方のチューナーが他のチューナーで受信する放送とは画質や受信容易度等が異なる放送を受信するチューナーである２つのチューナーを備え、予めユーザーが指定する放送受信条件を満たす放送へ自動的に切り替えることにより、ユーザーが煩わしさを感じない、ユーザーの好みが反映される柔軟な放送の自動切替を行う移動体用ディジタル放送受信装置を提供することができる。
【００９７】
また、ユーザーの移動に伴う受信装置の移動により現在視聴している放送の受信状態が悪化した場合も、予めユーザーの好みの放送を指定しているので、検索部により検索される放送が絞られており検索時間が短縮される。これにより、受信状態悪化時の放送の自動切替が素早く行われる。
【００９８】
この移動体用ディジタル放送受信装置の動作により、本実施例のように野球を視聴している場合、あらかじめ記憶している放送受信条件を基に、受信装置を有するユーザーの移動により受信地域が移ったとしても切替条件に基づき放送の切替を自動的に行うことで固定用放送の中にスポーツ放送が無い場合にも、図１６（ｂ）に示すように移動体用放送の中の放送受信条件を満たすサッカーを視聴することができる。なお図１６は移動体用ディジタル放送受信装置の正面図であり、それぞれ各地域における表示画面の状態の一例を示している。
【００９９】
図１６（ｂ）は、移動体用放送を表した図であり、移動体用放送は、固定用放送に比べ画質が劣るため、図１６（ｂ）では、画面に縦線を入れることで表している。この自動的な切替により、受信地域が遷移した場合にも、ユーザーは煩わしさを感じず、ユーザーが望む放送を視聴することができる。なお、本実施例では、Ｂ地域でユーザーが予め設定する放送受信条件を満たすｂ放送のサッカーを映像と音声として出力するため、受信部を固定用放送受信部１０３で受信する放送から移動体受信部１０５へ切り替えたが、さらに、固定用放送受信部１０３で受信する放送受信条件を満たす固定用放送ａ放送の受信レベルが所定レベルを超えるのを待って固定用放送受信部１０３へ切り替えることもできる。
【０１００】
たとえば、移動体用放送受信部１０５でｂ放送のサッカーを映像と音声として出力しているときに、固定用放送ａ放送の受信レベルが回復するのを待つため、固定用放送受信部１０３で図１２（ａ）の固定用放送の地域受信チャネルテーブルに従い、ａ放送の野球を受信しつづける。このとき、音声として出力される放送は切替部１０６によって移動体用放送に切り替えられているため、固定用放送受信部１０３で受信するａ放送は受信レベルの回復を監視しているだけであり、映像と音声として出力には用いられない。
【０１０１】
検出部１２０で固定用放送受信部１０３のａ放送の野球の受信レベルを検出し、判断部１１９で受信レベルが所定レベルを満たしていると判断された場合、移動体用放送受信部１０５から固定用放送受信部１０３に切替部１０６による切替を行う。この切替に伴ってＴＳ分離部１０７と固定用放送復号部１１１を用いることによって、固定用受信部１０３で受信するａ放送の野球の映像と音声を出力することができる。この動作により、受信レベルが悪くなったとき移動体用放送で放送受信条件を満たすｂ放送のサッカーを視聴し、受信レベルが回復した場合、放送受信条件を満たす画質の良い固定用放送ａ放送の野球を視聴することができる。
【０１０２】
本実施例では、上記のように、第１のチューナー部１０２が有する受信部を固定用放送受信部１０３、第２のチューナー部１０４が有する受信部を移動体用放送受信部１０５としているが、第１のチューナー部１０２と第２のチューナー部１０４とが有する受信部をそれぞれ固定用放送受信部（図示なし）と地上ディジタル音声放送受信部（図示なし）という組み合わせにしても良いし、移動体用放送受信部（図示なし）と地上ディジタル音声放送受信部（図示なし）という組み合わせにしてもよい。
【０１０３】
本実施例では、上記のように放送の映像の鮮明度や放送の受信容易さの異なる放送との間（例えば、固定用放送と移動体用放送との間）で自動的に切替を行うため、切替条件を満たし、例えば、受信する放送が固定用放送から移動体用放送に切り替わっても、ユーザーには、その切替が分からない可能性がある。
【０１０４】
そのため、ユーザーが、放送が自動的に切り替わってないものとして番組を切り替える等の操作を行う場合、現在ユーザーが視聴している番組が固定用放送なのか、移動体用放送のであるのかが分からず混乱を招く。
【０１０５】
そこで、図１６（ａ）（ｂ）画面右下隅に示すように、本願の移動体用ディジタル放送受信装置では、放送が自動的に切り替えられたことが容易に分かるように、放送の形式とチャネル番号を示している（図１６（ａ）に示すように固定用放送３ｃｈ等）。なお、表示に限らずＬＥＤで示してもよい。表示の切替は放送のチャネルと同調するように制御部１２１が制御する。例えば、固定用放送の場合は、青に点滅させ、移動体用放送の場合は、赤に点滅させることができる。さらに、固定放送と移動体用放送との切替が行われた直後数秒間点灯し、その後消灯することもできる。
【０１０６】
これにより、現在映像と音声として出力されている放送が固定用放送と移動体放送とのどのチャネルかをユーザーに容易に知らせることができ、利便性の高い移動体用ディジタル放送受信装置を提供できる。
【０１０７】
また、移動体用放送受信部１０５で受信する放送を映像として出力できる映像所定レベルと、音声として出力できる音声所定レベルとを設けることによって、放送受信条件を満たす放送を映像と音声とのいずれか一方として出力することができる。この移動体用ディジタル放送受信装置の構成図は、図１と同じである。
【０１０８】
切替部１０６により切り替えられるまでのフローについては、図２から図５までに同じであるため、ここでは、境界選局について図９を用いてこの移動体用ディジタル放送受信装置について説明する。上記図２の説明と同様、ユーザーは放送受信条件をスポーツ放送とし、午後１９時にＡ地域で図１５（ａ）に示すような固定用放送３ｃｈのａ放送の野球を選局する場合について説明してゆく。図１５は移動体用ディジタル放送受信装置の正面図であり、表示画面の状態の一例を示している。
を示している。
【０１０９】
ステップ９００のチャネル検索の詳細は上述の図４におけるチャネル検索と同様であるためここでは省略する。ステップ９００では、図１２（ｃ）を移動体用放送のＥＰＧ等の番組表だとすると、Ｂ地域では午後１９時に４１ｃｈのｂ放送のサッカーがあるため、この放送の受信レベルが所定レベルを満たしていれば、制御部１２１は、スポーツチャネルがＢ地域に存在すると判断する。ステップ９０１では、放送受信条件を満たす移動体用放送のスポーツチャネル（以下、スポーツチャネル）が無い場合（Ｓ９００で該当チャネルが無い場合）、手動選局を行う。この手動選局において、たとえば今、移動体用放送受信部１０５で受信できる放送の一覧をディスプレイに表示しユーザーに選ばせる方法でもできる。また他の方法で受信できる放送を選ばせても良い。
【０１１０】
ステップ９０２では、ステップ９０１で手動選局した場合又は、スポーツチャネルがある場合（Ｓ９００で該当チャネルがある場合）、制御部１２１はｂ放送のサッカーを受信できるように移動体用放送受信部１０５を設定する。ステップ９０３では、スポーツチャネルの放送の受信レベルを検出部１２０により検出し、映像所定レベルと音声所定レベルとを満たしているかを判断する。スポーツチャネルの放送の受信レベルが映像所定レベルを満たしている場合、ステップ９０４では、第２のチューナー部１０４から出力されたＴＳは、移動体用放送ＴＳ分離部１０９により映像データ、その他の情報データに分離される。
【０１１１】
その後、映像データは、移動体用放送復号部１１５の移動体用映像復号部１１６により復号され映像信号として出力される。これにより放送受信条件を満たすサッカーを移動体用放送の映像として出力することができる。また、スポーツチャネルの放送の受信レベルが映像所定レベルと音声所定レベルとを満たしている場合、ステップ９０５では、第２のチューナー部１０４から出力されたＴＳは、移動体用放送ＴＳ分離部１０９により映像データ、音声データ、その他の情報データに分離される。
【０１１２】
その後、映像データと音声データとは、それぞれ移動体用放送復号部１１５の移動体用映像復号部１１６と移動体用音声復号部１１７とにより復号され映像信号と音声信号として出力される。これにより放送受信条件を満たすサッカーを移動体用放送の映像と音声として出力することができる。また、スポーツチャネルの放送の受信レベルが音声所定レベルを満たしている場合、ステップ９０６では、第２のチューナー部１０４から出力されたＴＳは、移動体用放送ＴＳ分離部１０９により音声データ、その他の情報データに分離される。
【０１１３】
その後、音声データは、移動体用放送復号部１１５の移動体用音声復号部１１６により復号され音声信号として出力される。これにより放送受信条件を満たすサッカーを移動体用放送の音声として出力することができる。
【０１１４】
以上、放送受信条件を満たす放送の受信レベルに応じて受信レベルの良好な音声と映像との少なくともどちらか一方を出力することにより、放送受信条件を満たす放送を映像又は音声として出力する可能性を高めることができる。
【０１１５】
また、さらに図８に図示するように映像音声情報変換部８２８と映像音声情報復号部８２９とを備えることにより、ステップ１１０３において指定放送の映像のみを出力する場合、記憶部１２５に記憶された他の放送、通信、電話回線、記録媒体等の音声情報を映像音声情報変換部８２８により音声又データに変換する。音声データを映像音声情報復号部８２９で復号することにより指定放送の映像とともに、上記他の音声を出力することができる。
【０１１６】
ステップ９０６において指定放送の音声のみを出力する場合も同様に、記憶部１２５に記憶された他の放送、通信、電話回線、記録媒体等の映像情報を映像音声情報変換部１８２８により映像データに変換する。映像データを映像音声情報復号部８２９で復号することにより指定放送の音声とともに、上記他の映像を出力することができる。本実施例の場合、例えば放送からのサッカーの音声と共に、記憶部１２５から、例えば、サッカーの現在の状況を静止画で提供することができる。
【０１１７】
更に放送受信条件に応じた映像又は音声を映像音声情報復号部８２９から出力することもでき、より放送受信条件を満たす放送をユーザーが満足できる形で出力することができる受信装置を提供することができる。なお、映像音声情報変換部８２８は、記憶部１２５に記憶されているデータがＴＳであれば、ＴＳ分離部のようなＴＳを映像データ、音声データに変換する装置が考えられるが、復号する必要のないデータも考えられるため映像音声情報復号部８２９を要さない場合も考えられる。例えば、静止画等の画像を映像として出力する場合、復号部等の代わりに画像出力部等の構成が考えられる。
【０１１８】
図８に図示する映像音声情報変換部８２８と映像音声情報復号部８２９とは、一例であり、放送受信条件を満たす放送の映像又は音声の代わりに出力する構成としては、映像音声情報変換部８２８と映像音声情報復号部８２９とにより制限される必要は無い。また、放送受信条件として受信レベルの良好な放送を指定すると、切替条件を満たし切替が行われるとき受信レベルの良い放送を映像と音声として出力することができる。
【０１１９】
以上のように本実施例の示す移動体用ディジタル放送受信装置は、放送受信条件を基に放送の検索を行うことにより、放送受信条件を満たす放送のみを検索すれば良いため、全ての放送を検索するよりも検索時間は短縮されるという効果も有する。なお、本実施例において、放送受信条件を満たす放送を受信するため移動体用放送受信部１０５に切り替えたが、その後、さらに固定用放送受信部１０３で受信する放送受信条件を満たす放送の受信レベルを観測し、この受信レベルが所定レベルを満たしたとき、さらに切替部１０６によって移動体用放送受信部１０５から固定用放送受信部１０３に切り替えられる移動体用ディジタル放送受信装置も考えられる。
【０１２０】
なお、図１２（ｃ）に示すＥＰＧ等の番組表は、インターネット等の電話回線又は通信回線又は記録媒体からも得ることもできる。なお、本実施例では、放送受信条件をスポーツ放送としたが、スポーツ放送に捕らわれる必要はなく、受信地域遷移前の放送と同一放送としても良い。なお、本実施例では、ＴＳ分離部１０７に関して、固定用放送ＴＳ分離部１０８と移動体用放送ＴＳ分離部１０９とを設け、復号部１１０に関して、固定用放送用復号部１１１と移動体用放送復号部１１５とを設けているが、固定用放送と移動体用放送とが共通して処理できる場合、共通のＴＳ分離部と復号部とで本実施例に示す発明を実施することができる。
【０１２１】
（実施の形態２）
本実施例においては、映像と音声又は音声として出力する放送の切替を行う切替条件を基に複数の受信部で受信する放送の切替を行うことで、あらかじめ指定された放送受信条件を満たす放送を音声として出力できる移動体用ディジタル放送受信装置について、図６と図７とを用いて説明する。特に本実施例では、２つの受信部を用い、第１の受信部で固定用放送を、第２の受信部でラジオ放送を受信している場合について説明する。
【０１２２】
図６は本実施例に係る移動体用ディジタル放送受信装置６００の構成図である。移動体用ディジタル放送受信装置としては、車載用受信装置、ＰＤＡ、携帯電話等のディジタルテレビ放送を受信することができ受信地域が遷移する可能性のある受信装置が考えられる。
【０１２３】
図１と構成上異なる点は第２のチューナー部６０４の内部のラジオ受信部６０５とこのラジオ受信部６０５の放送を復調する復調部６２７とＴＳ分離部６０７と、切替部６０６、判断部６１９、検出部６２０と制御部６２１であり、その他の構成は実施例１と同じであるためここでは説明を省略する。
【０１２４】
以下、移動体用ディジタル放送受信装置６００について説明していく。
【０１２５】
一般的にラジオは、同調回路、周波数変換回路からなる（図示せず）。同調回路において希望する電波だけを選択し、選択した電波を周波数変換回路において局部発振器の信号と混合され中間周波数（４５５ｋＨｚ）に変換する。その後中間周波数増幅により選択度を上げ信号を増幅し、検波で音声信号を取り出す。本実施例では、便宜上これらを省略し、電波を受信するラジオ受信部６０５と検波を行うラジオ音声復調部６２７とのみ図示する。
【０１２６】
ラジオ受信部６０５で受信した変調された電波は切替部６０６に入力され、切替部６０６がラジオ受信部６０５で受信した電波を選択している場合、ラジオ復調部６２７は変調された電波を復調し音声信号を出力する。
【０１２７】
検出部６２０で検出するものは、ラジオ放送受信部６０５で受信する放送の受信レベルであったり、Ｃ／Ｎ比、Ｓ／Ｎ比等が考えられるが、ここでは便宜上受信レベルと呼ぶ。判断部６１９は、音声と映像として出力されている放送の受信レベルが、所定レベルを満たしているかを判断する。
【０１２８】
切替部６０６は、切替条件に応じて、音声と映像として出力される放送を切り替える。この切替により、放送を受信する固定用放送受信部１０３とラジオ放送受信部６０５、ＴＳ分離部６０７、復号部６１０も切り替わる。切替部６０６の切替によって、音声と映像として出力される放送が固定用放送受信部１０３で受信する放送からラジオ放送受信部６０５で受信する放送に切り替えられた場合、放送からの音声と映像を出力する復号部６１０も、固定用復号部１１１から音声を出力するラジオ復調部６２７に切り替わる。制御部６２１は、各構成部の制御を行う。
【０１２９】
次に本実施例の移動体用ディジタル放送受信装置の動作について図６を用いて説明するが、一連の動作は図２から図４までのフローと基本的に同じであり、ステップ３０４の境界選局以外は省略する。（実施の形態１）と同様に、ユーザーは、放送受信条件をスポーツ放送として入力し、午後１９時にＡ地域で図１７（ａ）に示すような固定用放送３ｃｈのａ放送の野球を選局している場合について説明してゆく。なお図１７は移動体用ディジタル放送受信装置の正面図であり、それぞれ各地域における表示画面の状態の一例を示している。
【０１３０】
以下図７を用いて境界選局について説明してゆく。
【０１３１】
また、図１２（ａ）に示す地域受信チャネルテーブルは、固定用放送の地域受信チャネルテーブルとし、図１２（ｂ）に示す地域受信チャネルテーブルは、ラジオ放送の地域受信チャネルテーブルとし、図１２（ｃ）に示す番組表はラジオ放送の番組表とする。また、図１２（ｃ）に示すラジオ放送の番組表は、インターネット等の電話回線又は通信回線で得ることもできる。
【０１３２】
ステップ７００のチャネル検索の詳細は上述の図４におけるチャネル検索と同様であるためここでは省略する。ステップ７００では、図１２（ｃ）をラジオ放送の番組表だとすると、Ｂ地域では午後１９時に４１ｃｈのｂ放送のサッカーがあるため、この放送の受信レベルが所定レベルを満たしていれば、制御部１２１は、スポーツチャネルがＢ地域に存在すると判断する。
【０１３３】
ステップ７０１では、放送受信条件を満たすラジオ放送のチャネルが無い場合（Ｓ７００で該当チャネルが無い場合）、手動選局を行う。この手動選局において、たとえば今、ラジオ放送受信部６０５で受信できる放送の一覧をディスプレイに表示しユーザーに選ばせる方法もできる。また他の方法で受信できる放送を選ばせても良い。さらに、本実施例では、上記のステップ７０１の手動選択に移った場合、ラジオ放送の中で現在受信できる放送を選択させるが、固定用放送に切り替えてユーザーに固定用放送を手動選択させることもできる。
【０１３４】
以下の本実施例の手動選択する場合についても同様の手動選択を行うことができる。
【０１３５】
ステップ７０２では、ステップ７０１で手動選局した場合又は、チャネル検索でａ放送のチャネルがある場合（Ｓ７００で該当チャネルがある場合）、制御部６２１は、ｂ放送のサッカーを受信できるようにラジオ放送受信部６０５を設定する。ステップ７０３では、第２のチューナー部６０４から出力された変調信号は、ラジオ音声復調部６２７により音声信号として出力される。
【０１３６】
ラジオ放送は、映像と音声を出力する固定用放送に比べて受信が容易である。その理由は、画像がない音声の方が、粗が目立ち易い映像に比べて低いレベルで受信しても視聴することができるからであり、又、複数の都道府県をまたがって放送され広い範囲で受信できるからである。そのため、受信地域が移ったとき、放送受信条件を満たす放送を固定用放送受信部１０３で受信できない場合にも、ラジオ放送の中で放送受信条件を満たすｂ放送のサッカーを受信することができ、音声だけでもスポーツ放送を聞きたいと思うユーザーにとっては有用である。
【０１３７】
また、放送受信条件を同一放送とすることで、たとえば、Ａ地域で野球を視聴している場合、どうしてもＢ地域で野球放送の音声だけでも聞きたいと思うユーザーにとっては、本実施例の発明は、更に有用である。
【０１３８】
ここで、他の実施例を含む本願で述べている同一放送とは、例として、中継局又は系列局での放送と定義している。
【０１３９】
たとえば、Ａ地域でａ放送のＡ地域の天気予報を視聴している場合、Ｂ地域におけるａ放送の中継局又は系列局でのＢ地域の天気予報を、Ａ地域におけるａ放送の天気予報と同一放送とする。つまり、Ｂ地域におけるＡ地域のａ放送と同じジャンルの放送を同一放送とする。なお、図１７（ｂ）に示すように、記憶部１２５に記憶しているＢ地域で受信するｂ放送のサッカーの代表画像を音声と共に出力することも考えられる。
【０１４０】
また、実施例１に示したように、記憶部１２５に記憶された他の放送、通信、電話回線、記録媒体等の映像情報を映像音声情報変換部８２８により映像データに変換し、映像データを映像音声情報復号部８２９で復号することによりラジオの指定放送の音声とともに、上記他の映像として出力することで、図１７（ｂ）に示すように映像と共に静止画像又は映像を出力することもできる。
【０１４１】
以上のような動作により本実施例のように固定用放送のａ放送の野球を視聴している場合、あらかじめ記憶している放送受信条件を基に、受信装置の移動により受信地域が移ったとしても切替条件に基づき放送の切替を自動的に行うことで固定用放送の中に放送受信条件を満たすスポーツ放送が無い場合にも、図１７（ｂ）に示すようにラジオ放送で放送受信条件をみたすｂ放送の野球を視聴することができる。
【０１４２】
この自動切替により、受信地域が遷移した場合にも、ユーザーは煩わしさを感じず、ユーザーが望む放送を聴くことができる。なお、本実施例では、切替条件を満たし切り替える際、放送受信条件がスポーツ放送であったため、ラジオ放送の中で、ｂ放送のサッカーに切り替えたが、放送受信条件は、スポーツ放送に捕らわれなくてよく、上記のように受信地域遷移前に受信していた放送と同一放送としても良い。
【０１４３】
なお、本実施例では、Ｂ地域でユーザーが予め設定する放送受信条件を満たすｂ放送のサッカーを音声として出力するため、受信部を固定用放送受信部１０３で受信する放送からラジオ受信部６０５へ切り替えたが、さらに、放送受信条件を満たす固定用放送受信部１０３で受信する固定用放送ａ放送の受信レベルが所定レベルを超えるのを待って固定用放送受信部１０３へ切り替えることもできる。たとえば、ラジオ受信部６０５でｂ放送のサッカーを音声として出力しているときに、固定用放送ａ放送の受信レベルが回復するのを待つため、固定用放送受信部１０３で図１２（ａ）の固定用放送の地域受信チャネルテーブルに従い、ａ放送の野球を受信しつづける。このとき、音声として出力される放送は切替部６０６によってラジオ放送に切り替えられているため、固定用放送受信部１０３で受信するａ放送は受信レベルの回復を監視しているだけであり、映像と音声として出力には用いられない。
【０１４４】
検出部６２０で固定用放送受信部１０３のａ放送の野球の受信レベルを検出し、判断部６１９で受信レベルが所定レベルを満たしていると判断された場合、ラジオ放送受信部６０５から固定用放送受信部１０３に切替部６０６による切替を行う。この切替に伴ってＴＳ分離部６０７と固定用放送復号部１１１を用いることによって、固定用受信部１０３で受信するａ放送の野球の映像と音声を出力することができる。この動作により、受信レベルが悪くなったときラジオ放送でｂ放送のサッカーを視聴し、受信レベルが回復した場合、映像の伴う放送受信条件を満たす固定用放送ａ放送の野球を視聴することができる。
【０１４５】
なお、図１０に図示するように、第１のチューナー部１００２と第２のチューナー部１００４との受信部を選択する入力部１０２３を設けることで、各チューナーの受信部を選択することができる移動体用ディジタル放送受信装置も考え得る。
【０１４６】
なお、切り替えられた受信部の放送は、ディジタル復調部（図示なし）でＴＳ形式のデータに復調されるが、図１０に示す構成では省略してある。
【０１４７】
たとえば、入力部１０２３により第１のチューナー部１００２の受信部では固定用放送を、第２のチューナー部１００４の受信部では、移動体用放送を選択した場合、各々の受信部を受信に用いる。
【０１４８】
図１１は、図１０に示す移動体用ディジタル放送受信装置の動作フローである。図１１を用いて、図１０に示す移動体用ディジタル放送受信装置についての一連の動作について、説明してゆく。
【０１４９】
ユーザーは、放送受信条件をスポーツ放送として入力し、第１のチューナー部１００２では固定用放送受信部１０３０、第２のチューナー部１００４では移動体用放送受信部１０３４を選択する。そして、午後１９時にＡ地域で図１６（ａ）に示すような３ｃｈのａ放送の野球を選局する場合について説明してゆく。
【０１５０】
ステップ１１００では、テレビ受信モードになり、２つのチューナーの受信部の選択又放送受信条件の入力が促される。ユーザーが、受信部の選択又は放送受信条件を入力したい場合、ステップ１１０１では、ユーザーが入力部１０２３により受信部で受信する放送形式又は放送受信条件が入力される（Ｓ１１００でＹＥＳの場合）。ステップ２０２では、ステップ２０１で入力部１０２３によりユーザーが放送受信条件を入力した場合又は、以前入力している場合等で入力する必要がない場合（Ｓ１１００でＮＯの場合）、テレビを視聴するか否かが促される。
【０１５１】
ステップ２０３では、視聴をしたい場合、ユーザーは携帯受信装置のテンキー等を用いて番組の選局を行う（Ｓ２０２でＹＥＳの場合）。番組を視聴しない場合には、そのままテレビ受信モードを終了する（Ｓ２０２でＮＯの場合）。また、ステップ２０３の番組選局を行っているときに、例えば、ユーザーが携帯受信装置の視聴終了ボタンを押したならばテレビ受信モードは終了する。他のボタンを押したならば、ステップ２０２に移る。さらに、ユーザーにより押されたボタンが選局ボタンであれば、その選局された番組が視聴され、他の選局ボタンが押されていない場合は、同じ番組を視聴しつづける（Ｓ２０２でＹＥＳの場合）。
【０１５２】
今、第１のチューナー部１００２の受信部は固定用放送受信部１０３０、第２のチューナー部１００４の受信部は移動体用放送受信部１０３４を選択しているため、ステップ２０３の番組選局について図３に示す通りであり、ステップ２０３以下のフローについては、図３から図５に示す通りであり、ここでは省略する。
【０１５３】
また、第１のチューナー部１００２の受信部は固定用放送受信部１０３０、第２のチューナー部１００４の受信部はラジオ放送受信部１０３６が選ばれた場合、この受信装置の一連の動作は、図７に示すようになる。例えば、図１８で第１のチューナー部１００２の受信部と第２のチューナー部１００４との選択が促され、ユーザーが選択した２つのチューナー間で受信できる放送の自動切替が行われる。
【０１５４】
今、第１のチューナーで受信できる放送として移動体用放送をユーザーが選択した場合、図１８の下に示すように移動体用放送以外の放送の選択が促される。また、図１０に示す入力部１０２３等を有する移動体用ディジタル放送受信装置の構成は、第１のチューナー部１００２又は第２のチューナー部１００４で選ばれうる組み合わせにより、図１、図６に図示してある必要な全ての構成を含む組み合わせとなる。この受信装置により、更に放送受信条件を満たす放送を受信する選択の幅が増す。
【０１５５】
なお、入力部１０２３により放送受信条件又は２つの受信部の選択を行ったが、図１３に示すように、あらかじめ個人情報を、書き換え可能なメモリであるＥＥＰＲＯＭ１３３６に記憶しておくこともできるし、図１４に示すように、トランスポートストリーム１４０１に多重されることもできる。
【０１５６】
なお、図１２（ｃ）に示すＥＰＧ等の番組表は、インターネット等の電話回線又は通信回線又は記録媒体からも得ることもできる。
【０１５７】
なお、上記実施例１から実施例２までに示す本願発明の移動体用ディジタル放送受信装置の構成は、一例であるため、本発明はかかる上記実施例に限定されるものではなく、本発明の範囲を逸脱することなく種々の変形または修正が可能である。
【産業上の利用可能性】
【０１５８】
本発明によって、例えば受信地域が遷移するときに、放送を切り替えることができる移動体用ディジタル放送受信装置を提供できる。
【図面の簡単な説明】
【０１５９】
【図１】本発明の実施例１における移動体用ディジタル放送受信装置の構成図
【図２】本発明の実施例１記載の移動体用ディジタル放送受信装置の動作フローの図
【図３】本発明の実施例１記載の移動体用ディジタル放送受信装置の番組選局の動作フローの図
【図４】本発明の実施例１記載の移動体用ディジタル放送受信装置のチャネル検索の動作フローの図
【図５】本発明の実施例１記載の移動体用ディジタル放送受信装置の境界選局の動作フローの図
【図６】本発明の実施例２における移動体用ディジタル放送受信装置の構成図
【図７】本発明の実施例２記載の移動体用ディジタル放送受信装置の境界選局の動作フローの図
【図８】本発明における映像音声情報変換部と映像音声情報復号部とを有する移動体用ディジタル放送受信装置の構成図
【図９】本発明における映像音声情報変換部と映像音声情報復号部とを有する移動体用ディジタル放送受信装置の境界選局の動作フローの図
【図１０】本発明における第１のチューナー部と第２のチューナー部とに複数の受信部を有する移動体用ディジタル放送受信装置の構成図
【図１１】本発明における第１のチューナー部と第２のチューナー部とに複数の受信部を有する移動体用ディジタル放送受信装置の動作フローの図
【図１２】（ａ）、（ｂ）本発明における移動体用ディジタル放送受信装置の記憶部に記憶されている地域受信チャネルテーブルの図、（ｃ）本発明における移動体用ディジタル放送受信装置の記憶部に記憶されているＥＰＧ等の番組表の図
【図１３】本発明における指定放送等をＥＥＰＲＯＭに記憶した移動体用ディジタル放送受信装置の構成図
【図１４】本発明における指定放送等を多重したトランスポートストリームを示す図
【図１５】本発明における移動体用ディジタル放送受信装置の各地域における出力される画面の図
【図１６】本発明における移動体用ディジタル放送受信装置の各地域における表示画面の状態を示す図
【図１７】本発明における移動体用ディジタル放送受信装置の各地域における表示画面の状態を示す図
【図１８】本発明における移動体用ディジタル放送受信装置の表示画面の状態を示す図
【符号の説明】
【０１６０】
１００、６００    受信装置
１０１    チューナー部
１０２    第１のチューナー部
１０３    固定用放送受信部
１０４、６０４    第２のチューナー部
１０５    移動体用放送受信部
１０６、６０６    切替部
１０７、６０７    ＴＳ分離部
１０８    固定用放送ＴＳ分離部
１０９    移動体用放送ＴＳ分離部
１１０、６１０    復号部
１１１    固定用放送復号部
１１２    固定用放送映像復号部
１１３    固定用放送音声復号部
１１４    情報復号部
１１５    移動体用放送復号部
１１６    移動体用放送映像復号部
１１７    移動体用放送音声復号部
１１８    情報復号部
１１９、６１９    判断部
１２０、６２０    検出部
１２１、６２１    制御部
１２２    検索部
１２３    入力部
１２５    記憶部
１２６    位置計測部
１２７、１２８    ディジタル復調部
【図１】
2006080758.tif 000003
【図２】
2006080758.tif 000004
【図３】
2006080758.tif 000005
【図４】
2006080758.tif 000006
【図５】
2006080758.tif 000007
【図６】
2006080758.tif 000008
【図７】
2006080758.tif 000009
【図８】
2006080758.tif 000010
【図９】
2006080758.tif 000011
【図１０】
2006080758.tif 000012
【図１１】
2006080758.tif 000013
【図１２】
2006080758.tif 000014
【図１３】
2006080758.tif 000015
【図１４】
2006080758.tif 000016
【図１５】
2006080758.tif 000017
【図１６】
2006080758.tif 000018
【図１７】
2006080758.tif 000019
【図１８】
2006080758.tif 000020